(57)【要約】【課題】形状や大きさの異なる飲料容器を安定して保持することができる車両用カップホルダを提供する。【解決手段】矩形の開口部を有する有底の凹部２１である収容部１１の四隅に、収容部の側面部から収容部の内側に向かって突出する変形可能な突起部３５を設け、この突起部が、収容部に接する内接円２００の内側まで延設されている構成とする。【選択図】図２
2015051750.tif 000002
【特許請求の範囲】
【請求項１】
車両に搭載されて飲料容器を収容する収容部を有する車両用カップホルダであって、
前記収容部は、矩形の開口部を有する有底の凹部であり、
前記収容部の少なくとも四隅には、前記収容部の側面部から当該収容部の内側に向かって突出する変形可能な突起部が設けられ、
且つこの突起部が、前記収容部に接する内接円の内側まで延設されていることを特徴とする車両用カップホルダ。
【請求項２】
請求項１に記載の車両用カップホルダにおいて、
前記突起部が弾性材料からなり、
前記収容部の四隅のそれぞれには、複数の前記突起部が所定間隔で設けられていることを特徴とする車両用カップホルダ。
【請求項３】
請求項１又は２に記載の車両用カップホルダにおいて、
前記収容部の側面部には、当該収容部の周方向に亘って複数の前記突起部が所定間隔で設けられていることを特徴とする車両用カップホルダ。
【請求項４】
請求項１から３の何れか一項に記載の車両用カップホルダにおいて、
前記収容部の深さ方向に並設される各突起部は、当該収容部の底面側ほど、先端部が前記収容部の内側に位置していることを特徴とする車両用カップホルダ。
【請求項５】
請求項１に記載の車両用カップホルダにおいて、
前記突起部は、塑性変形可能な材料からなり、前記収容部の深さ方向に沿って連続的に設けられていることを特徴とする車両用カップホルダ。
【発明の詳細な説明】
【技術分野】
【０００１】
本発明は、自動車等の車両に搭載される車両用カップホルダ、具体的には、カップの他、ペットボトルや飲料缶、或いは紙パック等の各種形状の飲料容器を収容するためのホルダに関する。
【背景技術】
【０００２】
従来、自動車等の車両には、飲料容器を収容するためのカップホルダが搭載されている。カップホルダは、様々な構造のものがあり、その一つとして、例えば、センターコンソール等に設けられて飲料容器を収容する凹状の収容部を有するカップホルダがある。またカップホルダは、飲料缶やペットボトルといった円筒状の飲料容器を対象としたものが多く、上記収容部は円筒状に形成されていた。
【０００３】
このような円筒状の収容部を有するカップホルダでは、例えば、紙パック等の角形の飲料容器を収容しづらいという問題があった。すなわち収容部の形状と飲料容器の形状が異なるため、飲料容器を安定して収容できない場合がある。
【０００４】
これに対し、矩形の開口を有する第１の収容段部（収容部）と、円形の開口を有する第２の収容段部（収容部）とを備えたカップトレイ（カップホルダ）が提案されている（例えば、特許文献１）。
【先行技術文献】
【特許文献】
【０００５】
【特許文献１】特開２０１２−９６７３４号公報
【発明の概要】
【発明が解決しようとする課題】
【０００６】
上記特許文献１に記載のカップホルダのように、矩形及び円形の開口を有する凹状の収容部をそれぞれ備えることで、円筒状の飲料容器と共に箱形（角形）の飲料容器も収容することはできる。
【０００７】
しかしながら、飲料容器と収容部とのサイズが合わない場合、例えば、収容部に対して飲料容器が小さい場合には、飲料容器を収容した際にガタツキが発生し、飲料容器を安定して保持することができない虞がある。
【０００８】
本発明はこのような事情に鑑みてなされたものであり、形状や大きさの異なる飲料容器を安定して保持することができる車両用カップホルダを提供することを目的とする。
【課題を解決するための手段】
【０００９】
本発明の第１の態様は、車両に搭載されて飲料容器を収容する収容部を有する車両用カップホルダであって、前記収容部は、矩形の開口部を有する有底の凹部であり、前記収容部の少なくとも四隅には、前記収容部の側面部から当該収容部の内側に向かって突出する変形可能な突起部が設けられ、且つこの突起部が、前記収容部に接する内接円の内側まで延設されていることを特徴とする車両用カップホルダにある。
【００１０】
本発明の第２の態様は、第１の態様の車両用カップホルダにおいて、前記突起部が弾性材料からなり、前記収容部の四隅のそれぞれには、複数の前記突起部が所定間隔で設けられていることを特徴とする車両用カップホルダにある。
【００１１】
本発明の第３の態様は、第１又は２の態様の車両用カップホルダにおいて、前記収容部の側面部には、当該収容部の周方向に亘って複数の前記突起部が所定間隔で設けられていることを特徴とする車両用カップホルダにある。
【００１２】
本発明の第４の態様は、第１から３の何れか一つの態様の車両用カップホルダにおいて、前記収容部の深さ方向に並設される各突起部は、当該収容部の底面側ほど、先端部が前記収容部の内側に位置していることを特徴とする車両用カップホルダにある。
【００１３】
本発明の第５の態様は、第１の態様の車両用カップホルダにおいて、前記突起部は、塑性変形可能な材料からなり、前記収容部の深さ方向に沿って連続的に設けられていることを特徴とする車両用カップホルダにある。
【発明の効果】
【００１４】
かかる本発明の車両用カップホルダによれば、ホールド部材の開口形状よりも小さいものであれば、形状や大きさの異なる複数種の飲料容器を、収容部でガタツキを抑えて良好に保持することができる。
【図面の簡単な説明】
【００１５】
【図１】本発明の実施形態１に係るカップホルダの概略構成を示す斜視図である。
【図２】本発明の実施形態１に係るカップホルダの平面図及び断面図である。
【図３】本発明の実施形態１に係るカップホルダの使用状態を示す断面図である。
【図４】本発明の実施形態１に係るカップホルダの使用状態を示す断面図である。
【図５】本発明の実施形態１に係るカップホルダの要部を示す拡大断面図である。
【図６】本発明の実施形態１に係るカップホルダの変形例を示す平面図である。
【図７】本発明の実施形態２に係るカップホルダの平面図及び断面図である。
【図８】本発明の実施形態２に係るカップホルダの使用状態を示す平面図である。
【発明を実施するための形態】
【００１６】
以下、本発明の一実施形態について図面を参照して詳細に説明する。
【００１７】
（実施形態１）
図１は、本実施形態に係る車両用カップホルダの概略構成を示す斜視図であり、図２は、車両用カップホルダの平面図及び断面図である。
【００１８】
本実施形態に係るカップホルダ１０は、図１及び図２に示すように、飲料容器１００（１００Ａ、１００Ｂ）が収容される二つの収容部１１を備えている。このカップホルダ１０を構成するホルダ本体部材２０は、硬質材料、例えば、ポリプロピレン等の硬質の樹脂材料からなり、その上面には、矩形の開口を有する二つの凹部２１が形成されている。これら各凹部２１内には、それぞれホールド部材３０が装着されて収容部１１が形成されている。すなわち、カップホルダ１０は、矩形の開口を有する二つの収容部１１を備え、これら収容部１１は、例えば、紙パック等の箱形（横断面が四角形）の飲料容器１００Ａを収容できるようになっている。また各収容部１１は、箱形の飲料容器１００Ａの他、紙コップ等の円筒状の飲料容器１００Ｂも収容できるようになっている。
【００１９】
このような本実施形態のカップホルダ１０は、図示しないが、例えば、自動車の運転席と助手席との間のフロアコンソールやアームレストに装着されて使用される。
【００２０】
ホールド部材３０は、ホルダ本体部材２０の凹部２１の形状に合わせて、上部が矩形に開口する箱形に形成されている。そしてホールド部材３０の収容部１１（凹部２１）の内側面に対応する部分、すなわちホールド部材３０の側面部３１には、収容部１１（凹部２１）の内側に向かって突出する複数の突起部３５が設けられている。
【００２１】
本実施形態では、ホールド部材３０の側面部３１に、上下方向に所定間隔で複数の突起部３５が設けられていると共に、各収容部１１の周方向に亘って複数の突起部３５が所定間隔で設けられている。そして各突起部３５は、凹部２１の底面２２に沿った方向或いは底面２２に沿った方向よりも若干上方を向くように突出して設けられている。
【００２２】
これらの突起部３５は、弾性材料、例えば、シリコーン樹脂等で形成されており、各突起部３５は弾性変形可能となっている。なお本実施形態では、突起部３５を含むホールド部材３０の全体が、シリコーン樹脂で一体的に形成されている。また各突起部３５は、ホールド部材３０の側面部３１から収容部１１の内側に向かって直線的に突出して設けられており、自重で折れ曲がらない程度に比較的細い直径の円柱状もしくは円錐状に形成されている。なお突起部３５の形状は、特に限定されず、必ずしも円柱又は円錐状でなくてもよい。
【００２３】
そして、これらの各突起部３５は、収容部１１（ホールド部材３０）に接する内接円２００の内側まで延設され、それぞれの先端部を結ぶ線が略円形を描くような長さで形成されている。すなわち本実施形態では、各突起部３５は、収容部１１の周方向の何れの部分に設けられるかによって、それぞれ異なる長さで形成されている。
【００２４】
このような構成のカップホルダ１０では、形状や大きさの異なる複数種の飲料容器１００を収容部１１で良好に保持することができる。例えば、図３に示すように、紙コップ等の円筒状の飲料容器１００Ｂを収容部１１内に挿入すると、複数の各突起部３５の先端部が飲料容器１００Ｂの外周に当接して飲料容器１００Ｂを支持する。これにより、飲料容器１００Ｂは、収容部１１内にガタツキが抑えられた状態で良好に保持される。
【００２５】
また図４（ａ）に示すように、紙パック等の角形の飲料容器１００Ａを収容部１１内に挿入した場合には、各突起部３５が下方（底面２２側）に向かって弾性変形した状態で飲料容器１００Ｂに当接して飲料容器１００Ｂを支持する。同様に、図４（ｂ）に示すように、飲料容器１００Ａ（図３）よりも直径の大きい円筒状の飲料容器１００Ｃを収容部１１に挿入した場合にも、各突起部３５が下方（底面２２側）に向かって弾性変形した状態で飲料容器１００Ｃに当接して飲料容器１００Ｃを支持する。これにより、飲料容器１００Ｂ，１００Ｃも、収容部１１内にガタツキが抑えられた状態で良好に保持される。
【００２６】
このように、本実施形態に係るカップホルダ１０によれば、ホールド部材３０の開口形状よりも小さいものであれば、形状や大きさの異なる複数種の飲料容器１００を、収容部１１でガタツキを抑えて良好に保持することができる。勿論、飲料容器以外の小物類も収容部１１で良好に保持することができる。
【００２７】
ここで、図５に示すように、収容部１１の深さ方向（上下方向）に配される各突起部３５の先端部は、凹部２１の底面２２側ほど収容部１１の内側に位置していることが好ましい。例えば、収容部１１の最下部に位置する突起部３５の長さＬ１は、最上部に位置する突起部３５の長さＬ２よりも長いことが好ましい。これにより、例えば、紙コップ等のように底面側ほど直径が小さくなっている飲料容器であっても収容部１１で良好に保持することができる。すなわち、収容部１１で良好に保持できる飲料容器の形状の範囲が広がる。
【００２８】
なお、本実施形態では、複数の突起部３５を収容部１１の周方向に亘って設けるようにしたが、突起部３５の配置は特に限定されるものではない。例えば、図６に示すように、突起部３５は、収容部１１の周方向の一部、例えば、四隅のみに設けられていてもよい。このような構成としても、勿論、形状の異なる複数の飲料容器等を収容部１１で良好に保持することができる。
【００２９】
（実施形態２）
図７は、実施形態２に係る車両用カップホルダの平面図及び断面図である。なお同一部材には同一符号を付し、重複する説明は省略する。
【００３０】
本実施形態は、突起部の変形例である。図７に示すように、本実施形態に係るカップホルダ１０Ａでは、突起部３５Ａは、塑性変形可能な材料、例えば、シリコーンゴム等からなり、収容部１１の四隅に一つずつ設けられている。また各突起部３５Ａは、収容部１１の深さ方向に沿って連続的に設けられている。そして、これらの各突起部３５Ａは、実施形態１と同様に、収容部１１（ホールド部材３０）に接する内接円の内側まで延設されている。
【００３１】
このような本実施形態に係るカップホルダ１０Ａの構成では、飲料容器の形状や大きさに応じて突起部３５Ａを適宜塑性変形させることで、大きさや形状の異なる複数種の飲料容器を収容部１１で良好に保持することができる。例えば、図８（ａ）に示すように、紙コップ等の比較的小径の飲料容器１００Ｂを収容部１１内に挿入する場合には、各突起部３５Ａの先端部を収容部１１の中心部に向かってまっすぐ突出させた状態とする。この状態で飲料容器１００Ｂを収容部１１に挿入すると、各突起部３５Ａの先端部が飲料容器１００Ｂの外周に当接して飲料容器１００Ｂを支持する。これにより、飲料容器１００Ｂは、収容部１１内にガタツキが抑えられた状態で良好に保持される。
【００３２】
また、例えば、紙パック等の箱形の飲料容器１００Ａを収容部１１内に挿入する場合には、図８（ｂ）に示すように、各突起部３５Ａをホールド部材３０の何れかの側面部３１に沿うように塑性変形させる。これにより、箱形の飲料容器１００Ａであっても収容部１１に収容でき、収容部１１で良好に保持することができる。
【００３３】
以上、本発明の実施形態について説明したが、本発明は、上述の実施形態に限定されるものではない。本発明は、その趣旨を逸脱しない範囲において適宜変更が可能なものである。
【符号の説明】
【００３４】
１０  カップホルダ
１１  収容部
２０  ホルダ本体部材
２１  凹部
２２  底面
３０  ホールド部材
３１  側面部
３５  突起部
１００  飲料容器
【図１】
2015051750.tif 000003
【図２】
2015051750.tif 000004
【図３】
2015051750.tif 000005
【図４】
2015051750.tif 000006
【図５】
2015051750.tif 000007
【図６】
2015051750.tif 000008
【図７】
2015051750.tif 000009
【図８】
2015051750.tif 000010